(57)【要約】      （修正有）【課題】夜間での視認性に優れ、魚信を的確に把握できる電気釣り浮きを提供する。【解決手段】本考案の電気釣り浮き１は、夜釣りに使用するためにＬＥＤ１４を内蔵したものであって、上側に窄まった円錐台形状を有する胴体部１２と、胴体部１２の上端と繋がった円柱状の首部１１と、首部１１の上端と繋がって上側に向けて再び膨らんだ後に窄まった形状となる細長い楕円球状の頭部１０とを含み、首部１１にＬＥＤ１４が内蔵されていることを特徴とする。さらに、胴体部と、首部と、頭部とがそれぞれ滑らかに繋がっていることが好ましい。【選択図】図２
0003232503.tif 000002
【実用新案登録請求の範囲】
【請求項１】
夜釣りに使用するためにＬＥＤを内蔵した電気釣り浮きであって、
前記電気釣り浮きは、上側に窄まった円錐台形状を有する胴体部と、前記胴体部の上端と繋がった円柱状の首部と、前記首部の上端と繋がって上側に向けて再び膨らんだ後に窄まった形状となる細長い楕円球状の頭部とを含み、
前記首部にＬＥＤが内蔵されていることを特徴とする電気釣り浮き。
【請求項２】
前記胴体部と、前記首部と、前記頭部とがそれぞれ滑らかに繋がっていることを特徴とする請求項１に記載の電気釣り浮き。
【考案の詳細な説明】
【技術分野】
【０００１】
本考案は、電気釣り浮きに関し、より詳細には、夜間でも魚信がわかりやすいように光を発する電気釣り浮きに関する。
【背景技術】
【０００２】
魚釣りにおいて、仕掛け（釣り針、釣り糸など）に付けられた餌に魚が食いついたときに、仕掛けに動きが生じる。魚釣り用浮きは、この仕掛けに生じた動きを、釣り人がいわゆる「魚のあたり」として視覚的に認識するために使用される。釣り人はこの「あたり」を認識することで、仕掛けを引き上げるタイミングを図り、適切な「合わせ（例えば、魚の口に針を掛ける）」を行うことで釣果（魚など）を上げることができる。
【０００３】
夜釣りなど暗い時間帯であって、風があるときや波が高いときは、風や波の影響による浮きの動きと、「魚のあたり」による浮きの動きとが判別しにくいという問題がある。このような問題を解決するための魚釣り用浮きとして、例えば、特許文献１は、電池を光源とする複数の発光素子を、上端部及び下端部に備える電気釣りウキを開示している。
【先行技術文献】
【特許文献】
【０００４】
【特許文献１】実登第３１２１４８５号公報
【考案の概要】
【考案が解決しようとする課題】
【０００５】
特許文献１に開示の魚釣り用浮きは、上端部及び下端部に夫々発光素子を配置することにより、圧電素子を電源に用いる場合に比べ、構成が簡単で製造コストが低く、集魚灯の機能を併せ持つという優れた効果を有する。上記特許文献１に開示の電気釣りウキは、浮力体となる胴体部分から上へと徐々に細く窄まった円柱形状の頭部が水面から露出し、その露出した円柱形状の頭部内にＬＥＤが配置されることにより、当該ＬＥＤから発せられる光が頭部の樹脂素材を透過して外部に放たれ、頭部が発光する。
【０００６】
図３は、従来の電気釣り浮きの正面図及び部分断面図である。従来の電気釣り浮きは、略円筒状の頭部１１０とその頭部と滑らかに接続された胴体部１１２とを有している。また頭部１１０にはＬＥＤ１１４が内蔵されており、このＬＥＤ１１４からの光が頭部１１０を構成する樹脂素材を透過して樹脂素材から漏れ出た光が外部に放出される。
【０００７】
しかしながら、図３に示す従来の電気釣り浮きは、頭部のうちのＬＥＤが配置された部分の近傍が最も強く発光し、ＬＥＤから上へと離れるにつれて頭部の内部から外部に放出される光が徐々に弱まってグラデーション状に暗くなってしまうため、夜間での視認性に優れるとは言い難く、魚信がわかりにくいという欠点があった。
【０００８】
本考案は、上記の現状に鑑みてなされたものであり、その目的とするところは、夜間での視認性に優れ、魚信を的確に把握できる電気釣り浮きを提供することにある。
【課題を解決するための手段】
【０００９】
本考案者は、上記の課題を解決すべく、電気釣り浮きの頭部の形状とＬＥＤの入射角の関係について鋭意研究を重ね、ＬＥＤから発せられる光の頭部への入射角が発光の強度に影響しているのではないかという仮説を立てて検討を重ねたところ、ＬＥＤから離れるほど頭部の内側面に対するＬＥＤからの光の入射角が小さくなることにより、ＬＥＤからの光が頭部を構成する樹脂素材を透過しにくくなって（つまり、外部に放出しにくくなって）、頭部の内部から外部に放出される光が徐々に弱まってグラデーション状に暗くなってしまうことを突き止めた。そこで、本考案者らは、ＬＥＤから離れたところの頭部における光の入射角を調整するための最適な形状を模索し、頭部に楕円球状を採用することにより、ＬＥＤから離れたところの頭部でも光の入射角を確保できることを見出し、本考案の電気釣り浮きを導き出した。すなわち、本考案の電気釣り浮きは、夜釣りに使用するためにＬＥＤ照明を内蔵したものであって、上側に窄まった円錐台形状を有する胴体部と、前記胴体部の上端と繋がった円柱状の首部と、前記首部の上端と繋がって上側に向けて再び膨らんだ後に窄まった形状となる細長い楕円球状の頭部とを含むことを特徴とする。そして、首部にＬＥＤライトが内蔵されていることが好ましい。
【考案の効果】
【００１０】
本考案の電気釣り浮きは、夜間での視認性に優れ、魚信がわかりやすいという利点を有する。
【図面の簡単な説明】
【００１１】
【図１】本考案の電気釣り浮きの正面図である。
【図２】本考案の電気釣り浮きの正面断面図である。
【図３】従来の電気釣り浮きの正面図及び部分断面図である。
【図４】本考案の電気釣り浮きと従来のそれとのＬＥＤからの光の入射角の関係を示す概略断面図である。
【考案を実施するための形態】
【００１２】
以下、実施例を示した図面を参照しつつ本考案の実施の形態を説明する。図１は、本考案の電気釣り浮きの正面図であり、図２は本考案の電気釣り浮きの正面断面図である。本考案の電気釣り浮き１は、夜釣りに使用するためにＬＥＤ照明を内蔵したものであり、図１に示すように、ボーリングのピンをさらに上下に引き延ばしたような外形で、全体として縦長の形状をしている。
【００１３】
本考案の電気釣り浮き１は、上側から順番に、頭部１０と、首部１１と、胴体部１２とを有し、頭部１０と、首部１１と、胴体部１２はそれぞれ滑らかに連続して繋がっている。以下において、電気釣り浮き１の長手方向の頭部１０側を上側とし、その反対の胴体部１２側を下側とする。電気釣り浮き１の上下方向に垂直な面での断面はいずれも略円形とされている。この電気釣り浮き１を水中に投下すると、胴体部１２のみが水中に沈み、頭部１０及び首部１１が水面よりも上側に位置するように胴体部１２の浮力が調整されている。なお、図１及び図２においては、頭部１０、首部１１及び胴体部１２がそれぞれ滑らかに接続されている場合を例示的に説明しているが、このような形態に限られるものではなく、頭部１０と首部１１と境界部分に段差が設けられていてもよいし、首部１１と胴体部１２との協会部分に段差が設けられていてもよい。
【００１４】
頭部１０は、図１に示す通り、首部１１の上端と滑らかに繋がって上側に向けて再び膨らんだ後に窄まった形状となる細長い楕円球状である。この電気釣り浮き１に内蔵されたＬＥＤからの光が頭部１０を構成する樹脂素材を透過して外部に放たれて、この頭部の上下の動きによって釣り人が魚信を把握できるようになっている。頭部１０が円柱形状ではなく、楕円球状であることにより、頭部１０の内壁面に対するＬＥＤから発せられた光の入射角を大きくすることができる。これにより頭部１０を構成する樹脂素材の表面に対してＬＥＤからの光が強く入射し、以って頭部１０全体を顕著に明るく発光することができる。しかも、頭部１０の内側面に平滑な面が一切形成されていないので、ＬＥＤからの光が頭部１０を構成する樹脂素材を透過せずに反射した場合でも内部反射の効果により頭部１０の明るさを強調することが可能となる。このようにして、頭部１０が大きく発光して見えることで、魚信を的確に把握できるという利点がある。
【００１５】
図４は、本考案の電気釣り浮きと従来のそれとのＬＥＤからの光の入射角の関係を示す概略断面図である。図４に示す通り、本考案の電気釣り浮きは、ＬＥＤ１４から離れた部分の頭部１０に対するＬＥＤ１４からの光の入射角が大きくなっているので、ＬＥＤ１４から離れた部分の頭部１０においてもＬＥＤからの光を外部に放出しやすい。これに対し、従来の電気釣り浮きは、ＬＥＤから離れた部分の頭部１１０において、ＬＥＤ１４からの光の入射角が徐々に小さくなるので、ＬＥＤ１４から離れた部分の頭部１１０ではＬＥＤ１４からの光を外部に放出しにくく、結局、ＬＥＤ１４付近のみが局所的に明るくなる。
【００１６】
頭部１０は、電気釣り浮き１の長手方向に平行な面で切断したときに、楕円形状を呈するものであり、かつ、その楕円形状の２つの焦点がいずれも頭部１０内に配置されるようにされている。
【００１７】
首部１１は、頭部１０の下端と、胴体部１２の上端とを滑らかに接続する円柱状の部位であり、この部分の内側にＬＥＤ１４が内蔵されている。この位置にＬＥＤ１４が内蔵されることにより、ＬＥＤ１４から発せられる光を効果的に頭部１０に伝えることができ、頭部１０の発光がより強調されるので、魚信を的確に把握できるようになる。
【００１８】
胴体部１２は、球根を逆さ向きにした上で上下に引き延ばした形状をしており、電気釣り浮き１の浮力を確保するために設けられる。胴体部１２は、電気釣り浮き１全体で見て最も膨らみのある部分を有している。そして、胴体部１２は、膨らみのある部分から上側に窄まった円錐台形状とされて首部１１の下端と滑らかに接続されている。このような形状とすることにより電気釣り浮き１の浮力を確保することができる。
【００１９】
胴体部１２の内側の下側には、ＬＥＤ１４の電源ユニット１５が配置されている。この電源ユニット１５が電気釣り浮き１の重りとしても機能し、電気釣り浮き１の重さを調整することができる。
【符号の説明】
【００２０】
１，１０１  電気釣り浮き
１０，１１０  頭部
１１  首部
１２，１１２  胴体部
１４，１１４  ＬＥＤ
１５  電源ユニット
【図１】
0003232503.tif 000003
【図２】
0003232503.tif 000004
【図３】
0003232503.tif 000005
【図４】
0003232503.tif 000006